(57)【要約】【課題】放熱装置が放熱作用位置から離れたときにのみＰＣカードがカードコネクタ内に挿入できる、放熱装置を有するカードコネクタの提供。【解決手段】カードコネクタは、底板（１）と、底板（１）に結合された支持枠（２）と、支持枠（２）に結合された放熱装置（３）と、底板（１）及び放熱装置（３）間に配置された案内装置（４）と、案内装置（４）の一側に設けられ、底板（１）を案内装置（４）に結合するために使用される押圧装置（１１）と、リーフばね（５）及び阻止棒（６）を有する可動遮蔽装置とを具備する。リーフばね（５）の一端は支持枠（２）に固定的に設けられており、阻止棒（６）の一側から、リーフばね（５）の他端に結合させるために一延長壁（９）が延びており、阻止棒（６）の他側は支持枠（２）に回転可能に結合されている。【選択図】図１
2008021412.tif 000002
【特許請求の範囲】
【請求項１】
底板と、
該底板に結合された支持枠と、
該支持枠に結合された放熱装置と、
前記底板及び前記放熱装置間に配置された案内装置と、
前記案内装置の一側に設けられ、前記底板を前記案内装置に結合するために使用される押圧装置と、
リーフばね及び阻止棒を有する可動遮蔽装置とを具備するカードコネクタであって、
前記リーフばねの一端は前記支持枠に固定的に設けられており、
前記阻止棒の一側から、前記リーフばねの他端に結合させるために一延長壁が延びており、
前記阻止棒の他側は前記支持枠に回転可能に結合されており、
前記底板、前記支持枠及び前記案内装置は、ＰＣカードを受容するための挿入開口を形成し、
前記放熱装置の降下時に、前記阻止棒が前記挿入開口を塞ぐように前記リーフばねによって前記阻止棒に力が印加されることを特徴とするカードコネクタ。
【請求項２】
前記支持枠の一側に棒が設けられていることを特徴とする請求項１記載のカードコネクタ。
【請求項３】
前記押圧装置は、前記支持枠の前記棒を配置させる凹部を有することを特徴とする請求項１又は２記載のカードコネクタ。
【請求項４】
前記底板の締結部を前記支持枠の締結部に結合させる２個のばねをさらに具備することを特徴とする請求項１記載のカードコネクタ。
【請求項５】
前記放熱装置は複数のフィンを有することを特徴とする請求項１記載のカードコネクタ。
【請求項６】
前記支持枠の保持部を保持するために、前記リーフばねの一端に２個の保持部が設けられていることを特徴とする請求項１記載のカードコネクタ。
【請求項７】
前記阻止棒の前記延長壁が通過できるように、前記リーフばねの他端に孔が設けられていることを特徴とする請求項１記載のカードコネクタ。
【請求項８】
ＰＣカードが挿入される際に熱を移動させるために前記ＰＣカードに接触する放熱装置を有するカードコネクタにおいて、
前記放熱装置が非放熱作用位置にあるときのみ前記ＰＣカードを前記カードコネクタに挿入できるよう、前記カードコネクタのＰＣカード挿入開口付近に可動遮断装置が設けられていることを特徴とするカードコネクタ。
【請求項９】
前記放熱装置が放熱作用位置にあるときに前記ＰＣカードが前記カードコネクタから除去されると、前記ＰＣカードは前記カードコネクタ内に直接挿入できないことを特徴とする請求項８記載のカードコネクタ。
【請求項１０】
前記放熱装置を支持するための支持枠をさらに有することを特徴とする請求項８記載のカードコネクタ。
【請求項１１】
前記放熱装置の底面及び前記枠の頂面までの距離は、前記放熱装置が非放熱作用位置にあるときよりも前記放熱装置が放熱作用位置にあるときの方が短いことを特徴とする請求項９記載のカードコネクタ。
【請求項１２】
前記可動遮蔽装置はリーフばね及び阻止棒を具備し、
前記リーフばねの一端は前記支持枠に固定的に設けられており、
前記阻止棒の一側から、前記リーフばねの他端に結合させるために一延長壁が延びており、
前記阻止棒の他側は前記支持枠に回転可能に結合されていることを特徴とする請求項１０記載のカードコネクタ。
【請求項１３】
前記支持枠の保持部を保持するために、前記リーフばねの一端に２個の保持部が設けられており、
前記阻止棒の前記延長壁が通過できるように、前記リーフばねの他端に孔が設けられていることを特徴とする請求項１２記載のカードコネクタ。
【請求項１４】
前記放熱装置が前記放熱作用位置から前記非放熱作用位置へ移行できるように、押圧装置をさらに具備することを特徴とする請求項８又は９記載のカードコネクタ。
【発明の詳細な説明】
【技術分野】
【０００１】
本発明は、放熱装置を有するカードコネクタに関し、より詳細には、放熱装置が放熱作用位置にある際にＰＣカードの挿入を防止する可動遮蔽装置を有するカードコネクタに関する。
【背景技術】
【０００２】
ＰＣＭＣＩＡ（パーソナルコンピュータメモリカード国際協会）仕様は、コンピュータ及びコンピュータ周辺機器間を接続するメモリカードの標準仕様である。ＰＣＭＣＩＡカード（単にＰＣカードとも称される）はＰＣＭＣＩＡ仕様に従ったカードであり、ＰＣＭＣＩＡスロットはこの仕様に従ったスロットである。ＰＣカードは、コンピュータ及びコンピュータ周辺機器を接続するために広く使用されている。特にノートブックコンピュータの場合、その小寸法故に外部周辺機器を要するので、ＰＣカードは最適のインタフェースになった。現在、ＰＣカードは、重い周辺機器を運ぶことにより生ずるユーザのトラブルを無くすために、主に、ノートブック用にデータ送信又はローカルネットワークカードとして作用する。
【０００３】
ＰＣカードがカードコネクタに挿入され、放熱装置の底面に貼付された熱インタフェース材料（単にＴＩＭと称される）がＰＣカードに接触するように、放熱装置は放熱作用位置へ降下し、熱伝導により熱が放散される。通常の使用において、カードコネクタからＰＣカードを引き抜くための適当な操作手順は、最初に放熱作用位置から離れるように放熱装置を移動、例えばカードコネクタから離れる上方へ放熱装置を移動（以下では単に開状態と称する）させ、次にユーザがＰＣカードを引き抜く。
【特許文献１】特開平１１−６５７１４号公報
【特許文献２】特開２００５−１１６５６４号公報
【発明の開示】
【発明が解決しようとする課題】
【０００４】
しかし、放熱装置が依然として閉位置にあるときに、ユーザがＰＣカードを無理やり引き抜き、同じ又は別のＰＣカードをカードコネクタに挿入すると、放熱装置は閉位置のままであり、ＰＣカードは放熱装置の底面でＴＩＭに接触する。さらに、ＰＣカードを無理やり挿入すると、ＰＣカードは放熱装置の底面からＴＩＭを引き剥がすので、放熱装置の放熱性能が低下してしまう。このため、放熱装置を有する従来のカードコネクタは問題点を有しており、改善が望まれている。
【０００５】
従って、本発明は、放熱装置が放熱作用位置から離れたときにのみＰＣカードがカードコネクタ内に挿入できる、放熱装置を有するカードコネクタを提供することを目的とする。
【０００６】
また、本発明は、放熱装置が放熱作用位置にあるときにＰＣカードの挿入を防止するための移動避難装置が設けられている、放熱装置を有するカードコネクタを提供することを目的とする。
【０００７】
さらに、本発明は、カードコネクタの前端に可動遮蔽装置の阻止棒が設けられ、放熱装置が降下するときにリーフばねが阻止棒に力を印加することにより、ＰＣカードがカードコネクタ内に直接挿入されることを防止する、放熱装置を有するカードコネクタを提供することを目的とする。
【課題を解決するための手段】
【０００８】
上述の目的を達成するために、本発明のカードコネクタは、底板と、底板に結合された支持枠と、支持枠に結合された放熱装置と、底板及び放熱装置間に配置された案内装置と、案内装置の一側に設けられ、底板を案内装置に結合するために使用される押圧装置と、可動遮蔽装置とを具備する。底板、支持枠及び案内装置は、ＰＣカードを受容するための挿入開口を形成する。可動遮蔽装置は、放熱装置が放熱作用位置にあるときにＰＣカードの挿入を防止することができる。
【０００９】
好ましくは、可動遮蔽装置はリーフばね及び阻止棒を有する。リーフばねの一端は支持枠に固定的に設けられている。阻止棒の一側からはリーフばねの他端に結合させるために一延長壁が延びている。阻止棒の他側は支持枠に回転可能に結合されている。阻止棒は、放熱装置が放熱作用位置にあると、ＰＣカードの挿入を防止する。
【００１０】
好ましくは、支持枠の保持部を保持するためにリーフばねの一端に２個の保持部が設けられ、阻止棒の延長壁が通過できるようにリーフばねの他端に穴が形成されている。
【発明を実施するための最良の形態】
【００１１】
以下、本発明の好適な実施形態を参照して本発明を詳細に説明するが、説明に先立ち、当業者であれば本明細書に記載された本発明を容易に変更し、本発明と同様の性能が得られることを理解されたい。従って、以下の説明は当業者にとって一般的な開示であって、本発明を限定するものではないことを理解されたい。
【００１２】
図１、図２及び図３を参照すると、本発明のカードコネクタの開状態を示す正面図、側面図及び平面図がそれぞれ図示されている。
【００１３】
本発明のカードコネクタは、底板１、底板１に結合された支持枠２、支持枠２に結合された放熱装置３、底板１及び放熱装置３間に配置された２個の案内装置４、案内装置４の一側に設けられ、底板１を案内装置４に結合するために使用される押圧装置１１、支持枠２の一側から外方に突出した棒１５、可動遮蔽（movable sheltering）装置、カードコネクタの可動遮蔽装置の反対側に設けられ、別の電気装置（図示せず）の電気コネクタに接続するために使用されてＰＣカード１７（図５参照）に読み出し及び書き込みできるように電気接続を達成する端子の組（図示せず）を具備する。
【００１４】
支持枠２の一側にある締結部１８は、押圧装置１１の押圧圧縮動作（図２及び図３の矢印ａで示される方向）又は引張伸張動作（図７及び図８の矢印ｂで示される方向）に従って支持枠２が底板１に対して上方又は下方の相対移動ができるように、２本のばね１２によって底板１の締結部１９に結合される。
【００１５】
図１、図２及び図３に関連して可動遮蔽装置の分解斜視図である図４を参照する。可動遮蔽装置はリーフばね５及び阻止棒６からなる。リーフばね５は、カードコネクタの支持枠２に水平に設けられる。さらに、Ｔ形状の孔である２個の保持部２０が、リーフばね５の一端側に設けられている。支持枠２の保持部１３は、Ｔ形状の孔の幅広部をそれぞれ通過し、最終的にＴ形状の孔の幅狭部に配置される。阻止棒６は、カードコネクタの支持枠２の前（図３における下）に設けられ、リーフばね５に対して直交配置される。延長壁９は阻止棒６の一側から延びており、リーフばね５の他端の孔１０を通過する。阻止棒６の他側の孔７は、支持枠２の突出部８に回転可能に結合される。このように、リーフばね５の一端側に設けられた保持部２０は支持枠２の保持部１３に係合できるので、リーフばね５は保持部２０の他端に対して弾性を有する。阻止棒６の延長壁９がリーフばね５の他端の孔１０を通り、阻止棒６の他側の孔７が支持枠２の突出部８に回転可能に結合するので、阻止棒６は孔７の周りで弾性的に回転する。
【００１６】
放熱装置３は、平行に配列された複数の放熱フィン１４を有する。押圧装置１１が押圧されると、支持枠２の棒１５が押圧装置１１の上側の凹部１６に配置されるので、放熱装置３は上方へ移動する（開状態）。
【００１７】
図５を参照すると、本発明のカードコネクタに挿入されるＰＣカード１７の正面が示される。図５において、ＰＣカード１７が案内装置４を通って本発明のカードコネクタ内に挿入される結果、放熱装置３が降下する（閉状態）。放熱装置３の底面のＴＩＭ（図示せず）はＰＣカード１７に接触し、放熱のための熱を伝える。阻止棒６はＰＣカード１７の上縁に接触し、時計回りに回転するので、リーフばね５は弾性的に上昇する。
【００１８】
通常の使用において、本発明のカードコネクタからＰＣカード１７を引き抜く適当な操作手順は、最初に押圧装置１１を押圧して放熱装置３を上方へ移動（開状態）させ、次にユーザがカードコネクタの挿入開口２１からＰＣカード１７を引き抜く。
【００１９】
簡潔に言えば、放熱装置を有するカードコネクタにＰＣカードを挿入、及びカードコネクタから離れる方向にＰＣカードを移動させる工程は以下の通りである。
１．放熱装置３が開状態にあるときにＰＣカード１７を挿入する。
２．ＰＣカード１７の挿入により、放熱装置３を閉状態に移行できる。
３．押圧装置１１を押圧することにより、放熱装置３を開状態に移行でき、次にＰＣカード１７を引き出す。
【００２０】
しかし、図６、図７及び図８の本発明のカードコネクタの閉状態を示す正面図、側面図及び平面図に示されるように、放熱装置３が降下しているとき（閉状態）に、ユーザがＰＣカード１７を引き出すと、阻止棒６はリーフばね５が阻止棒６に作用する弾性力により反時計回りに弾性的に回転するので、阻止棒６は挿入開口２１の前で遮り、挿入開口２１の入口が非常に小さくなる（挿入開口が矩形開口から台形開口になった図６参照）ので、ＰＣカード１７又は別のＰＣカードの挿入を阻止する。
【００２１】
ユーザがＰＣカード１７又は別のＰＣカードを挿入したい場合、放熱装置３が上方へ移動して元の開状態に戻し、別の挿入操作ができるように押圧装置１１を押圧する必要がある。
【００２２】
本発明の好適な実施形態を参照して本発明を詳細に説明したが、当業者であれば、特許請求の範囲の真髄及び範囲内で全ての変形、変更ができることを容易に理解できるであろう。従って、特許請求の範囲の真髄及び範囲は、本明細書に含まれる好適実施形態の説明に限定されるべきでない。
【図面の簡単な説明】
【００２３】
【図１】本発明のカードコネクタの開状態を示す正面図である。
【図２】図１のカードコネクタの開状態を示す側面図である。
【図３】図１のカードコネクタの開状態を示す平面図である。
【図４】図１のカードコネクタの可動遮蔽装置を示す分解斜視図である。
【図５】図１のカードコネクタにＰＣカードが挿入された状態を示す正面図である。
【図６】図１のカードコネクタの閉状態を示す正面図である。
【図７】図１のカードコネクタの閉状態を示す側面図である。
【図８】図１のカードコネクタの閉状態を示す平面図である。
【符号の説明】
【００２４】
１    底板
２    支持枠
３    放熱装置
４    案内装置
５    リーフばね
６    阻止棒
９    延長壁
１０  孔
１１  押圧装置
１２  ばね
１３  保持部
１４  フィン
１５  棒
１６  凹部
１７  ＰＣカード
１８  締結部
１９  締結部
２０  保持部
２１  挿入開口
【図１】
2008021412.tif 000003
【図２】
2008021412.tif 000004
【図３】
2008021412.tif 000005
【図４】
2008021412.tif 000006
【図５】
2008021412.tif 000007
【図６】
2008021412.tif 000008
【図７】
2008021412.tif 000009
【図８】
2008021412.tif 000010